(57)【要約】      （修正有）【課題】消火器等を収納することができる収納ユニットを有する給電装置を提供する。【解決手段】給電装置は、支持ユニット１０と、支持ユニット１０の高さ方向Ｚ上方に位置する収納ユニット２０と、収納ユニット２０の高さ方向Ｚ上方に位置するコンセントユニット３０と、地面に埋設される固定ユニット４０とを含む。支持ユニット１０は、収納ユニット２０が載置される台座部１１と、台座部１１の下面から突出する４つの脚部１２とを含む。脚部１２は、固定ユニット４０に挿入される。支持ユニット１０は、固定ユニット４０に対して取り外し可能とすることができる。収納ユニット２０は、その底部に設けられた載置台２１と、高さ方向Ｚへ延びる側部に設けられた扉２２とを備える。コンセントユニット３０は、その内部にコンセントが取り付けられた中空直方体であり、一方の面には、施錠扉３２が設けられる。【選択図】図１
0003193037.tif 000002
【実用新案登録請求の範囲】
【請求項１】
地面に設置される支持ユニットと、前記支持ユニットの上方に位置するコンセントが収納されたコンセントユニットおよび収納ユニットとを備え、
前記収納ユニットは、その底部に位置する載置台および側部に位置する扉を含むことを特徴とする給電装置。
【請求項２】
地面に埋設される固定ユニットをさらに備え、
前記固定ユニットは、地中に埋設される埋設部と、地面に開口する開口部を備え、
前記支持ユニットは、前記埋設部に挿入される脚部を備えることを特徴とする請求項１記載の給電装置。
【考案の詳細な説明】
【技術分野】
【０００１】
この考案は、屋外に設置される給電装置に関する。
【背景技術】
【０００２】
従来、屋外に設置される給電装置が知られている。特許文献１および特許文献２によれば、給電装置は、地面に固定されたポールと、ポールに設けられたコンセントとを備え、コンセントを介して電気が供給される。したがって、屋外でも電気を得ることができる。
【先行技術文献】
【特許文献】
【０００３】
【特許文献１】特開２００２−１１８９４０号公報
【特許文献２】特開２０１２−２４４７２８号公報
【考案の概要】
【考案が解決しようとする課題】
【０００４】
屋外で電気を使用する場合には、火災等の緊急時のために消火器を給電装置の近傍に設置することが望ましい。しかし、従来、消火器は給電装置のポールの近傍の地面に直置きしたり、給電装置とは離れた場所に設置されたりしていた。同様に、給電装置に付帯して使用するようなものであっても、これを収納する場所がなく、離れた場所に設置されていたので使い勝手が悪いという問題があった。
【０００５】
この考案では、消火器等を収納することができる収納ユニットを有する給電装置を提供することを課題とする。
【課題を解決するための手段】
【０００６】
この考案の給電装置は、地面に設置される支持ユニットと、前記支持ユニットの上方に位置するコンセントが収納されたコンセントユニットおよび収納ユニットとを備え、前記収納ユニットは、その底部に位置する載置台および側部に位置する扉を含むことを特徴とする。
【０００７】
前記給電装置は、地面に埋設される固定ユニットをさらに備え、前記固定ユニットは、地中に埋設される埋設部と、地面に開口する開口部とを備え、前記支持ユニットは、前記埋設部に挿入される脚部を備えてもよい。
【考案の効果】
【０００８】
この考案の給電装置によれば、支持ユニットの上方に収納ユニットが設けられるので、この収納ユニットに消火器等を収納することができ、利便性を向上させることができる。
【図面の簡単な説明】
【０００９】
【図１】給電装置の一実施形態を示す使用状態における斜視図。
【図２】収納ユニットおよびコンセントユニットの正面図であって、コンセントユニットの施錠扉を開けた状態の図。
【図３】蓋をした状態の固定ユニットの斜視図。
【考案を実施するための形態】
【００１０】
図１および図２を参照すれば、給電装置１は、互いに直交する縦方向Ｙ、横方向Ｘ、高さ方向Ｚを有するとともに、地面に設置される支持ユニット１０と、支持ユニット１０の高さ方向Ｚ上方に位置する収納ユニット２０と、収納ユニット２０の高さ方向Ｚ上方に位置するコンセントユニット３０と、地面に埋設される固定ユニット４０とを含む。
【００１１】
支持ユニット１０は、収納ユニット２０が載置される台座部１１と、台座部１１の下面から突出する４つの脚部１２とを含む。台座部１１は直方体であり、台座部１１の下面における四隅に台座部１１から突出する脚部１２がそれぞれ配置される。脚部１２は、固定ユニット４０に挿入される。
【００１２】
固定ユニット４０は、地中に埋設される埋設部４１と、地面に開口する開口部４２と、開口部４２に設けられたフランジ部４３とを備える。埋設部４１は、矩形の底面４４と、底面４４から開口部４２に向かって起立する壁面４５とを有し、壁面４５で形成された角部分４６に支持ユニット１０の脚部１２が挿入される。脚部１２のぞれぞれは四角柱であり、その二つの面およびこれら面によって形成された角が、埋設部４１の角部分４６に接触して、安定的に保持される。フランジ部４３を設けることによって、開口部４２を地表に沿って配置しやすく、固定ユニット４０の位置決めをしやすい。また、埋設部４１が何らかの理由で傾いたり、陥没したりするのを抑制することができる。
【００１３】
支持ユニット１０は、固定ユニット４０に対して取り外し可能とすることができ、コンセントの不使用時には支持ユニット１０、収納ユニット２０およびコンセントユニット３０を固定ユニット４０から取り外すことができる。したがって、例えば、給電装置１をキャンプ場などで用いた場合、シーズンオフにはこれらを取り外して保管することができ、除雪時の邪魔になるのを防止することができる。また、イベント等においては、給電装置１を撤去することによってより広い場所を確保することもできる。
【００１４】
図３を参照すれば、支持ユニット１０を取り外した固定ユニット４０の開口部４２は、蓋４７でその開口を閉じることができる。蓋４７を設置した場合には蓋４７の上面とフランジ部４３とが同一平面上に位置し、地面から突出しないようにすることが望ましい。蓋４７には収納可能な取手部４８を取付け、蓋４７を持上げやすくすることができる。
【００１５】
再び図１および図２を参照すれば、収納ユニット２０は、支持ユニット１０から上方へ延びる中空四角柱であり、その断面形状は長方形である。支持ユニット１０の台座部１１における縦方向Ｙおよび横方向Ｘにおける寸法と、収納ユニット２０における縦方向Ｙおよび横方向Ｘにおける寸法は、それぞれ等しい。これら台座部１１および収納ユニット２０は一体的に形成されてもよいし、別体であってもよい。
【００１６】
収納ユニット２０は、その底部に設けられた載置台２１と、高さ方向Ｚへ延びる側部に設けられた扉２２とを備える。載置台２１は、支持ユニット１０の台座部１１の上面が兼ねるようにしてもよい。扉２２は、この実施形態においては、四つの側面のうちのひとつに形成される。また、扉２２は、内部を透視可能とするために例えば透明アクリル板を用いることができる。扉２２は、開閉可能としてもよいし、緊急時にのみ扉２２を破って、内部の消火器等を取り出せるようにしてもよい。
【００１７】
コンセントユニット３０は、その内部にコンセント３１が取り付けられた中空直方体であり、一方の面には、施錠扉３２が設けられる。この実施形態において施錠扉３２は観音扉であり、施錠可能に鍵３３が設けられる。したがって、不使用時には施錠をして許可なしでの電源の使用を防止することができる。コンセント３１は、複数設けることもできる。
【００１８】
上記のような給電装置１において、収納ユニット２０が設けられるので、この収納ユニット２０に消火器等を収納することができる。屋外の電気の使用で、出火した場合には、収納ユニット２０から即座に消火器を取り出して消火活動を行うことができる。消火器を地面に直接置いた場合には、消火器が転倒したり、これにぶつかったりする虞があったが、これを解消することができる。また、扉２２を設け、さらに内部を可視できるようにすることによって、消火器のある場所を周知させることもできるし、災害時にはより迅速に発見することができる。
【００１９】
なお、収納ユニット２０に収納されるものとして、消火器を例に説明したがこれに限定されるものではない。例えば、給電装置１に太陽光発電装置をさらに備えるようにして、収納ユニット２０には蓄電装置等を収納するようにしてもよい。また、緊急時に必要な救命装置等を収納することもできる。
【００２０】
この実施形態において、最上部にコンセントユニット３０を配置するようにしたが、これに限定されるものではなく、収納ユニット２０が最上部に位置するものであってもよい。また、支持ユニット１０、収納ユニット２０およびコンセントユニット３０の一部が一体的に形成されるものであってもよいし、これらが別々に形成されるものであってもよい。
【００２１】
固定ユニット４０は必須の構成ではなく、これがないものでもよい。その場合には、支持ユニット１０を直接地面におくようにすることができる。ただし、固定ユニット４０を用いることによって、より一層安定的に給電装置１を設置することができる。
【００２２】
支持ユニット１０、収納ユニット２０、コンセントユニット３０および固定ユニット４０としては、鉄やステンレス等、この技術分野において通常用いられる材料を用いることができるほか、給電装置１を構成する各構成部材には、本明細書に記載されている材料のほかに、この種の分野において通常用いられている、各種の公知の材料を制限なく用いることができる。
【符号の説明】
【００２３】
１    給電装置
１０    支持ユニット
１１    台座部
１２    脚部
２０    収納ユニット
２１    載置台
２２    扉
３０    コンセントユニット
３１    コンセント
４０    固定ユニット
４１    埋設部
４２    開口部
【図１】
0003193037.tif 000003
【図２】
0003193037.tif 000004
【図３】
0003193037.tif 000005